(57)【要約】【課題】撮影現場において、目的に適応したフィルターを素早く選択して、カメラの撮影レンズ前面に簡単に装着可能なフィルター枠を提供する。【解決手段】フィルターを挟持したフィルター外枠の外観部分全体にレンズ鏡筒のシルバー色、またはブラック色とは異なる色をそれぞれ着色してフィルターの種類を色分けし、該着色したフィルターの種類をそれぞれ色分けすることによりフィルターの種別を選択可能となし、撮影現場に携帯した当該各種のフィルターから目的に適応したフィルターを素早く選択し、該選択したフィルターを素早くカメラの撮影レンズ前面に取り付け可能にした。【選択図】図２
0003145465.tif 000002
【実用新案登録請求の範囲】
【請求項１】
フィルターを挟持したフィルター外枠の外観部分全体にレンズ鏡筒のシルバー色、またはブラック色とは異なる色をそれぞれ着色してフィルターの種類を色分けし、
該着色したフィルターの種類をそれぞれ色分けすることによりフィルターの種別を選択可能となし、撮影現場に携帯した当該各種のフィルターから目的に適応したフィルターを素早く選択し、
該選択したフィルターを素早くカメラの撮影レンズ前面に取り付け可能にしたこと、
を特徴とするカメラ用フィルター枠。
【請求項２】
フィルターを挟持したフィルター外枠の外観部分にそのバックグランドとなる仕上げ色とは識別可能な色にてカラーラインを一本または複数本それぞれ書き入れ、また、カラーラインの太さを変えて書き入れることでフィルターの種類分けを行い、
該カラーラインの本数や色、並びにカラーラインの太さの違いからそれぞれのフィルターの種別を選択可能となし、撮影現場に携帯した当該各種のフィルターから目的に適応したフィルターを素早く選択可能となし、
該選択したフィルターを素早くカメラの撮影レンズ前面に取り付け可能としたこと、
を特徴とするカメラ用フィルター枠。
【請求項３】
前記、色分けやカラーラインの本数や色、並びにカラーラインの太さの違いから選択したフィルターを素早くカメラの撮影レンズ前面に取り付け可能とした機構は、フィルター外枠と一体化して形成された挿着部を設け、
該挿着部はカメラの撮影用レンズ鏡筒の最前部内径側に螺設されている雌ネジ部に挿着可能な外径を持ち、
該挿着部は外周部を３等分或いは４等分する位置に内蔵されスプリングに押圧され挿着部の外周部側に突出しているボールベアリングからなる係合部を設けており、
前記フィルターの挿着部がカメラの撮影用レンズ鏡筒の最前部内径側雌ネジ部に挿着されたときボールベアリングからなる係合部が該内径側に螺設された雌ネジ部内に係着してフィルターが前記レンズ鏡筒最先端部に装着され、
該フィルターの取り外しは、前記係合部を形成する３点、或いは４点のボールベアリング押圧力に対向した力で抜脱するよう構成すること、
を特徴とする請求項１、または請求項２の何れかに記載のカメラ用フィルター枠。
【請求項４】
前記、色分けやカラーラインの本数や色、並びにカラーラインの太さの違いから選択したフィルターを素早くカメラの撮影レンズ前面に取り付け可能とした機構は、フィルター外枠と一体化して形成された挿着部を設け、
前記挿着部はカメラの撮影用レンズ鏡筒の最前部内径側に螺設されている雌ネジ部に挿着可能な外周部を有し、
該挿着部の外周部にスプリング嵌合溝を刻設し、
該挿着部の外周部に刻設されたスプリング嵌合溝にリング形状で一ヶ所に切欠部を有した円形断面形状を持ったリング型スプリングを嵌着させ、
前記リング型スプリングが前記切欠部を介してスプリング嵌合溝内で円周方向のバネ作用をすることを利用して、フィルターの挿着部がカメラの撮影用レンズ鏡筒の最前部内径側に挿着されたときリング型スプリングが働いて最前部内径側に螺設された雌ネジ部内に係着し、フィルターが前記レンズ鏡筒の最前部に装着され、
該フィルターの取り外しは、前記挿着部のリング型スプリングの押圧力に対向した力で抜脱すること、
を特徴とする請求項１及至請求項３の何れかに記載のカメラ用フィルター枠。
【請求項５】
前記フィルター外枠の外観部分全体を着色する場合、或いはフィルター外枠の外観部分にそのバックグランドとなる仕上げ色を着色する場合において、
該着色には二次電解着色、または３次電解着色を用いるか、アクリル樹脂、ポリウレタン樹脂、エポキシ樹脂やフッ素樹脂の塗料と用いること、或いは、前記電解着色と塗料の組み合わせを用いること、
を特徴とする請求項１乃至請求項４の何れかに記載のカメラ用フィルター枠。
【請求項６】
前記フィルターを挟持したフィルター外枠の外観部分にそのバックグランドとなる仕上げ色とは識別可能なカラーラインを一本または複数本書き入れる場合において、カラーラインは予めフィルター外枠の外周部分にＶ溝や凹溝を刻設しておき、該Ｖ溝や凹溝にアクリル樹脂、ポリウレタン樹脂、エポキシ樹脂やフッ素樹脂の塗料を入れ込んでカラーラインの書き込みをすること、
を特徴とする請求項１乃至請求項４の何れかに記載のカメラ用フィルター枠。
【考案の詳細な説明】
【技術分野】
【０００１】
本考案は、デジタル一眼レフカメラ用のフィルター枠に関するものである。
本考案におけるカメラ用フィルターは、種々の機能を有するカメラ用フィルターをそれぞれ複数枚用意して携帯し、撮影現場において、目的に適応したフィルターを素早く選択可能なカメラ用フィルター枠の構成に関するものであり、また、素早く選択できたフィルターをカメラの撮影レンズ前面に簡単、且つ容易に装着することができるカメラ用フィルター枠を提供するものである。
【背景技術】
【０００２】
カメラのレンズ前面に装着する各種のフィルターは、レンズ保護用のプロテクターフィルターや色温度変換フィルター、色補正フィルター、円偏光フィルター、光量調整フィルターと、特殊効果をもたらす接写用フィルター、光源に十文字の光を作る光条効果用フィルター、被写体を柔らかく表現できるソフトフォーカス用フィルター等が、デジタル一眼レフカメラ用としても色々開発されてきている。
【０００３】
而して、各種の機能を有するカメラ用フィルターは、撮影現場において、使用目的に適応したフィルターを素早く、そして容易に選択できること、並びに正確に選択したフィルターを瞬時にカメラの撮影レンズ前に装着できることが、シャッターチャンスを逃さない重要な要点となっている。
【０００４】
このうち、選択したフィルターを瞬時にカメラの撮影レンズ前に装着するための機構は、フィルターをカメラの撮影用レンズ鏡筒の最先端部に、所謂、ワンタッチで着脱自在に装着するものが有効であり、それらの機構に関する発明が、特許第３６９９６９８号特許公報（以下、特許文献１と称する。）、並びに特許第３９３９６２１号特許公報（以下、特許文献２と称する。）に開示されている。
【０００５】
特許文献１の発明は、フィルターを挟持したフィルター外枠と一体化して形成された挿着部を設け、該挿着部はカメラの撮影用レンズ鏡筒の最前部内径側に螺設されている雌ネジ部に挿着可能な外径を持ち、該挿着部は外周部を３等分或いは４等分する位置に内蔵されスプリングに押圧され挿着部の外周部側に突出しているボールベアリングからなる係合部を設けている。
【０００６】
そして、前記フィルターの挿着部がカメラの撮影用レンズ鏡筒の最前部内径側雌ネジ部に挿着されたときボールベアリングからなる係合部が該内径側に螺設された雌ネジ部内に係着してフィルターが前記レンズ鏡筒最先端部に装着される。
【０００７】
従って、フィルターの取り外しは、前記係合部を形成する３点、或いは４点のボールベアリング押圧力に対向した力で抜脱するよう構成することにより、フィルターをカメラの撮影用レンズ鏡筒の最前部にワンタッチで着脱自在に装着できるものである。
【０００８】
また、特許文献２の発明は、フィルターを挟持したフィルター外枠と一体化して形成された挿着部を設け、前記挿着部はカメラの撮影用レンズ鏡筒の最前部内径側に螺設されている雌ネジ部に挿着可能な外周部を有し、該挿着部の外周部にスプリング嵌合溝を刻設し、該挿着部の外周部に刻設されたスプリング嵌合溝にリング形状で一ヶ所に切欠部を有した円形断面形状を持ったリング型スプリングを嵌着させている。
【０００９】
そして、前記リング型スプリングが前記切欠部を介してスプリング嵌合溝内で円周方向のバネ作用をすることを利用して、フィルターの挿着部がカメラの撮影用レンズ鏡筒の最前部内径側に挿着されたときリング型スプリングが働いて最前部内径側に螺設された雌ネジ部内に係着し、フィルターが前記レンズ鏡筒の最前部に装着される。
【００１０】
また、フィルターの取り外しは、前記挿着部のリング型スプリングの押圧力に対向した力で抜脱するように構成することにより、フィルターをカメラの撮影用レンズ鏡筒の最前部にワンタッチで着脱自在に装着できるものである。
【００１１】
斯くして、特許文献１、及び特許文献２は、カメラの撮影用レンズ鏡筒にフィルターをワンタッチ動作にて簡単、且つ容易に装着でき、また、必要に応じて抜脱可能な機構をフィルター枠内に装備していることを特徴としており、該特許文献１、及び特許文献２の発明は、それぞれ、本考案の出願人と同一出願人の特許出願に係るもので、フィルター等のカメラレンズアタッチメントの着脱機構として、高い評価を得ている。
【００１２】
然しながら、カメラのレンズ前面に装着する各種のフィルターは、レンズ保護用のプロテクターフィルターや色温度変換フィルター（色温度の高低に対応して数種類あり）、色補正フィルター（補色の３色と原色の３色で基本は６種類）、カラー効果フィルター（色彩効果を目的に数種類あり）、円偏光フィルター、光量調整フィルターと、特殊効果をもたらす接写用フィルター、光源に十文字の光を作る光条効果用フィルター、被写体を柔らかく表現できるソフトフォーカス用フィルター等、非常に種類が多い。
【００１３】
そして、種々の機能を有するカメラ用フィルターは、外観形状から見分けるとレンズ保護フィルターや色温度変換フィルター、色補正フィルター、カラー効果フィルターの如く一枚のフィルターがフィルター枠に嵌め込まれている一般枠形状のもの、或いは、円偏光フィルターや光条効果用フィルターの如くフィルター枠が二重枠形状のものがある他は、区別が非常につきにくく、フィルター外枠に細かな文字で記載された商品名や記号を読み取る必要があり、撮影現場において、目的に適応したフィルターを素早く選択して、カメラの撮影レンズ前面に装着することは大変厄介なことで、未だプロカメラマンの領域と云わざるを得ない。
【００１４】
また、一般の人々は、撮影現場において、上述の厄介なフィルター選択、並びにカメラ鏡筒への取り付け操作を嫌い、精々、レンズ保護用のプロテクターフィルターを常用的に用いている程度が現況である。  
【００１５】
【特許文献１】特許第３６９９６９８号  特許公報
【特許文献２】特許第３９３９６２１号  特許公報
【考案の開示】
【考案が解決しようとする課題】
【００１６】
而して、本考案が解決しようとする課題は、撮影現場において、一般の人々でも、目的に適応したフィルターを素早く選択して、カメラの撮影レンズ前面に簡単に装着可能なフィルター枠を提供するものである。
【００１７】
また、本考案は、一眼レフデジタルカメラ本体が、抜群の性能を備えてきており、目的に適応した各種フィルターを選択してのカメラ撮影は、無限の可能性を有しており、一般の人や女性、主婦層でも、種々のフィルターを簡単、且つ、容易に選択して、デジタル１眼レフカメラの撮影を行えるようなフィルター枠を提供することにより、フィルターの利用者層を大幅に拡大するものである。
【課題を解決するための手段】
【００１８】
本考案は、フィルターを挟持したフィルター外枠の外観部分全体にレンズ鏡筒のシルバー色、またはブラック色とは異なる色をそれぞれ着色してフィルターの種類を色分けし、該着色したフィルターの種類をそれぞれ色分けすることによりフィルターの種別を選択可能となし、撮影現場に携帯した当該各種のフィルターから目的に適応したフィルターを素早く選択し、該選択したフィルターを素早くカメラの撮影レンズ前面に取り付け可能にしたことを特徴としている。
【００１９】
また、本考案は、フィルターを挟持したフィルター外枠の外観部分にそのバックグランドとなる仕上げ色とは識別可能な色にてカラーラインを一本または複数本それぞれ書き入れ、また、カラーラインの太さを変えて書き入れることでフィルターの種類分けを行い、該カラーラインの本数や色、並びにカラーラインの太さの違いからそれぞれのフィルターの種別を選択可能となし、撮影現場に携帯した当該各種のフィルターから目的に適応したフィルターを素早く選択可能となし、
該選択したフィルターを素早くカメラの撮影レンズ前面に取り付け可能としたものである。
【００２０】
そして、前記、色分けやカラーラインの本数や色、並びにカラーラインの太さの違いから選択したフィルターを素早くカメラの撮影レンズ前面に取り付け可能とした機構は、フィルター外枠と一体化して形成された挿着部を設け、該挿着部はカメラの撮影用レンズ鏡筒の最前部内径側に螺設されている雌ネジ部に挿着可能な外径を持ち、該挿着部は外周部を３等分或いは４等分する位置に内蔵されスプリングに押圧され挿着部の外周部側に突出しているボールベアリングからなる係合部を設けており、前記フィルターの挿着部がカメラの撮影用レンズ鏡筒の最前部内径側雌ネジ部に挿着されたときボールベアリングからなる係合部が該内径側に螺設された雌ネジ部内に係着してフィルターが前記レンズ鏡筒最先端部に装着され、該フィルターの取り外しは、前記係合部を形成する３点、或いは４点のボールベアリング押圧力に対向した力で抜脱するよう構成することが好ましい。
【００２１】
同様に、前記、色分けやカラーラインの本数や色、並びにカラーラインの太さの違いから選択したフィルターを素早くカメラの撮影レンズ前面に取り付け可能とした機構は、フィルター外枠と一体化して形成された挿着部を設け、
前記挿着部はカメラの撮影用レンズ鏡筒の最前部内径側に螺設されている雌ネジ部に挿着可能な外周部を有し、該挿着部の外周部にスプリング嵌合溝を刻設し、
該挿着部の外周部に刻設されたスプリング嵌合溝にリング形状で一ヶ所に切欠部を有した円形断面形状を持ったリング型スプリングを嵌着させ、前記リング型スプリングが前記切欠部を介してスプリング嵌合溝内で円周方向のバネ作用をすることを利用して、フィルターの挿着部がカメラの撮影用レンズ鏡筒の最前部内径側に挿着されたときリング型スプリングが働いて最前部内径側に螺設された雌ネジ部内に係着し、フィルターが前記レンズ鏡筒の最前部に装着され、該フィルターの取り外しは、前記挿着部のリング型スプリングの押圧力に対向した力で抜脱する構成とすることが好ましい。
【００２２】
本考案は、フィルター外枠の外観部分全体を着色する場合、或いはフィルター外枠の外観部分にそのバックグランドとなる仕上げ色を着色する場合において、該着色にはフィルター外枠が多くの場合にアルミ製であることから、二次電解着色、または３次電解着色を用いるか、アクリル樹脂、ポリウレタン樹脂、エポキシ樹脂やフッ素樹脂の塗料を用いること、或いは、前記電解着色と塗料の組み合わせを用いることが好ましい。
【００２３】
また、本考案は、フィルターを挟持したフィルター外枠の外観部分にそのバックグランドとなる仕上げ色とは識別可能なカラーラインを一本または複数本書き入れる場合において、カラーラインは予めフィルター外枠の外周部分にＶ溝や凹溝を刻設しておき、該Ｖ溝や凹溝にアクリル樹脂、ポリウレタン樹脂、エポキシ樹脂やフッ素樹脂の塗料を入れ込んでカラーラインの書き込みをすることが好ましい。
【考案の効果】
【００２４】
而して、本考案におけるカメラ用フィルターは、種々の機能を有するカメラ用フィルターを、それぞれ複数枚用意して携帯し、撮影現場において、目的に適応したフィルターを素早く選択可能なカメラ用フィルター枠の構成に関するものであり、本考案は、撮影現場において、一般の人々でも、目的に適応したフィルターを色やライン、そしてカラーラインの幅違い等にて素早く選択できて、カメラの撮影レンズ前面に簡単にフィルターを装着可能なフィルター枠を提供することが可能となった。
【００２５】
また、本考案は、一眼レフデジタルカメラ本体が、抜群の性能を備えてきており、目的に適応した各種フィルターを選択してのカメラ撮影は、無限の可能性を有しており、一般の人や女性、主婦層でも、種々のフィルターを簡単、且つ、容易に選択して、デジタル１眼レフカメラの撮影を行えるようなフィルター枠を提供することにより、フィルターの利用者層を大幅に拡大することができた。
【００２６】
更に、本考案は、カメラレンズの鏡筒先端部に後付けにて装着されるフィルター枠において、そのフィルター枠の外観部分全体（端部小口を含む）や、フィルター枠の外観部分に細いカラーラインや太めのカラーラインを着色する構成となし、該カラーの着色は、おしゃれで明るい色彩からなるカラー着色とする構成となし、カメラ本体やレンズ鏡筒が、一般的にシルバー色やブラック色の多い中で、本考案を実施したカメラのレンズ鏡筒先端部は、見た目楽しさや、他人のカメラとの差別化を図ることができるので、本考案の前記構成は、一般の人や女性、主婦層にもフィルターの利用を大幅に拡大することが可能である。
【考案を実施するための最良の形態】
【００２７】
本考案における基本的要素は、フィルター枠にフィルターの種類を識別できるカラー着色を施すこと、並びにフィルター枠に細いカラーラインや太めのカラーラインを着色する構成であり、当該構成は、カメラのレンズ鏡筒先端部に後付けにて装着されるフィルター枠が、おしゃれで明るい色彩のカラー着色からなる構成を有して、フィルター装着時に見た目の楽しさや、他人のカメラとの差別化を図ることができる。
【００２８】
また、フィルター枠の外枠に施されるカラーライン着色の構成は、レンズ保護フィルターや色温度変換フィルター、色補正フィルター、カラー効果フィルターの如く一枚のフィルターがフィルター枠に嵌め込まれている一般枠形状のものにおいて、端部小口を含むフィルター外枠の外観部分全体をカラー着色するものや、フィルター外枠のバックグランドになる仕上げは、カメラ本体やレンズ鏡筒に合わせてシルバー色やブラック色となし、該シルバー色やブラック色と識別可能で、且つ、おしゃれで明るい色彩からなるカラーラインをフィルター外枠に施すものである。
【００２９】
また、本考案において、フィルター枠の外枠に施されるカラーライン着色は、カラーラインの本数や、その色違い配列、並びにカラーラインの細さや太さによる違いを構成してカラーライン着色をフィルター外枠に施すものである。
【００３０】
更に、円偏光フィルターや光条効果用フィルターの如くフィルター外枠が二重枠形状で外部側枠とレンズ鏡筒側の内部側枠を構成しており、所謂、フィルター二重枠においては、外部側枠前面をカラー着色すること、フィルター二重枠の外部側枠と内部側枠全面をカラー着色する構成等が考えられる。
【００３１】
そして、フィルター外枠が二重枠形状の場合、カラーライン着色の配列は、フィルター外部側枠におしゃれで明るい色彩からなるカラーラインを１本、または複数本施すものや、フィルター内部側枠におしゃれで明るい色彩からなるカラーラインを１本、または複数本施すものを実施することができる。
【００３２】
斯くして、本考案を実施できるデジタル一眼レフカメラ用のフィルターは、レンズ保護用のプロテクターフィルターや、色温度の高低に対応して数種類ある色温度変換フィルター、補色の３色と原色の３色で基本は６種類ある色補正フィルター、色彩効果を目的に数種類あるカラー効果フィルター、円偏光フィルター、光の減少量により数種類ある光量調整フィルター、そして円偏光フィルターや、特殊効果をもたらす接写用フィルター、光源に十文字の光を作る光条効果用フィルター、被写体を柔らかく表現できるソフトフォーカス用フィルター等、種類が増大しており、その種類は、すぐに１００種類程になることが予想されている。
【００３３】
本考案は、前記デジタル一眼レフカメラ用のフィルターの種類増大にも対応でき、且つ、カメラ本体やレンズ鏡筒が、一般的にシルバー色やブラック色の多い中で、本考案を実施したカメラのレンズ鏡筒先端部は、見た目楽しさや、他人のカメラとの差別化を図ることができるフィルター外枠を簡単、且つ、容易に選択でき、また、簡単、且つ、容易に着脱できるので、本考案の構成は、一般の人や女性、主婦層にもフィルターの利用を大幅に拡大することが可能である。
【実施例１】
【００３４】
図１乃至図３は本考案の実施例１を説明するもので、図１はデジタル１眼レフカメラにおける本考案の実施部位を説明する斜視図、図２は、本考案の実施例１を説明するフィルター外枠の側面図、図３はカメラ鏡筒にフィルター外枠が装着した状態を示す要部切欠断面図である。
【００３５】
図１において、１はデジタルのカメラ本体を示し、２はレンズ鏡筒を示している。そして、一般的には、デジタルカメラ本体１やレンズ鏡筒２はシルバー色やブラック色に着色されている場合が多い。また、レンズ鏡筒の先端部３には、フィルター４を挟持したフィルター外枠５が着脱自在にレンズ鏡筒２に装着されている。
【００３６】
本考案の実施例１は、図２に示す如くフィルター外枠５の外観形状に関するものである。図２は、フィルター外枠５の外観形状を示しており、該フィルター外枠５には、その外観延長上に挿着部６が設けられており、該挿着部６はデジタルカメラのレンズ鏡筒の先端部３に装着自在である。
【００３７】
また、前記挿着部６には、該挿着部６の外周部７を３等分、或いは４等分する位置に内蔵されたスプリングによって押圧され、前記外周部７側に突出しているボールベアリング８ａ、８ｂ、８ｃ、８ｄ（図２では８ａのみ図示）からなる係合部９を設けており、該係合部９は、所謂、ワンタッチでフィルター外枠５をレンズ鏡筒２の先端部３に装着、或いは抜脱可能である。
【００３８】
図３は、レンズ鏡筒２にフィルター外枠５が装着した状態を示している。図３において、２はレンズ鏡筒、３はレンズ鏡筒の先端部、１０はレンズ鏡筒の最前部に螺設されたレンズアタッチメント装着用の雌ネジ部である。
【００３９】
そして、雌ネジ部１０には前記挿着部６が嵌合しており、該挿着部６の嵌合は外周部７を３等分、或いは４等分する位置に内蔵されたスプリングによって押圧され、カメラ鏡筒２の先端部３にフィルター外枠５が装着されている。
【００４０】
而して、実施例１は、フィルター４を挟持したフィルター外枠５の外観部分全体にカメラ本体１やレンズ鏡筒２の一般的なシルバー色、またはブラック色とは異なる色をそれぞれ着色して、該部分を着色部１１（網目模様で図示した）となし、該着色部１１において、複数の用途別フィルターの種類を色分けして製作し、該色分け着色されたフィルターを撮影現場に複数枚携帯できるようにした。
【００４１】
従って、実施例１においては、着色部１１の分類別着色にて、フィルターの種類をそれぞれ色分けしており、必要に応じてフィルターの種別を素早く選択可能であり、撮影現場に携帯した当該各種のフィルターから目的に適応したフィルターを選択し、該選択したフィルターを、前記係合部９を用いてワンタッチで、レンズ鏡筒２の前面に簡単、且つ、容易に取り付け可能にした。
【００４２】
実施例１において、前記フィルター外枠５の外観部分全体に着色される着色部１１は、通常アルミ製であることから、二次電解着色、または３次電解着色を用いて、おしゃれで美しい着色とするか、アクリル樹脂、ポリウレタン樹脂、エポキシ樹脂やフッ素樹脂の塗料と用いることにより任意の着色が可能であり、また、実施例１においては、前記電解着色と塗料の組み合わせを用いることも可能である。
【実施例２】
【００４３】
図４及び図５は、本考案の実施例２を説明するものであり、図４はフィルター外枠の側面図、図５はレンズ鏡筒にフィルター外枠が装着した状態を示す要部切欠断面図である。
である。
【００４４】
本考案の実施例２は、図４に示す如くフィルター外枠５の外観形状に関するものである。そして、図４は、フィルター外枠５の側面形状を示しており、該フィルター外枠５には、その外観延長上に挿着部６が設けられており、該挿着部６はデジタルカメラのレンズ鏡筒２の先端部３に着脱自在に装着可能である。
【００４５】
また、前記挿着部６の外周部７には、スプリング嵌合溝１２を刻設し、該挿着部６の外周部７に刻設されたスプリング嵌合溝１２にリング形状で１ヶ所に切欠部１３を有する円形断面形状を持ったリング型スプリング１４を嵌着させ、該リング型スプリング１４が切欠部１３を介してスプリング嵌合溝１２内で円周方向のバネ作用をすることを利用して、前記挿着部６は、所謂、ワンタッチでフィルター外枠５をレンズ鏡筒２の先端部３に装着でき、必要に応じて抜脱可能である。
【００４６】
図５は、レンズ鏡筒２にフィルター枠５が装着した状態を示している。図３において、２はレンズ鏡筒、３はレンズ鏡筒の先端部、１０はレンズ鏡筒の最前部に螺設されたレンズアタッチメント装着用の雌ネジ部である。
【００４７】
そして、雌ネジ部１０には前記挿着部６が嵌合しており、該挿着部６の嵌合は外周部７に設けられたリング型スプリング１４が、レンズ鏡筒２に螺設された雌ネジ部１０をバネ作用で押圧し、レンズ鏡筒２の先端部３にフィルター外枠５が装着されている。
【００４８】
而して、実施例２は、フィルター４を挟持したフィルター外枠５の外観部分にそのバックグランドとなる仕上げ色とは識別可能な色にて、カラーラインを一本または複数本それぞれ書き入れ、該カラーライン１５ａ、１５ｂ、１５ｃ・・・とする。
【００４９】
また、カラーライン１５ａとカラーライン１５ｂの太さを変えて書き入れることでフィルターの種類分けを行い、種類別にカラーラインの本数や色、並びにカラーラインの太さの違いを表示したフィルター外枠５を複数の用途別フィルターの種類として製作し、該製作されたフィルターを撮影現場に携帯できるようにした。
【００５０】
従って、実施例２においては、カラーライン１５ａ、１６ｂの如く太さや、色、そして本数を変えて、それぞれのフィルターの種別を選択可能となし、撮影現場に携帯した複数枚の各種のフィルターから目的に適応したフィルターを素早く選択可能となし、該選択したフィルターを、前記挿着部に設けられた６係合部９を用いてワンタッチで、レンズ鏡筒２の前面に簡単、且つ、容易に取り付け可能にした。
【００５１】
実施例２において、フィルター４を挟持したフィルター外枠５の外観部分にそのバックグランドとなる仕上げ色とは識別可能なカラーライン１５ａ、１５ｂ、１５ｃ・・・を一本、または複数本書き入れる場合において、カラーラインは予めフィルター外枠５の外周部分にＶ溝１６や凹溝１７を刻設しておき、該Ｖ溝１６や凹溝１７にアクリル樹脂、ポリウレタン樹脂、エポキシ樹脂やフッ素樹脂の塗料を入れ込んでカラーライン１５ａ、１５ｂ、１５ｃ・・・の書き込みをすることができる。
【実施例３】
【００５２】
図６は、本考案の実施例３を説明するフィルター外枠の側面図である。
実施例３は、円偏光フィルターや光条効果用フィルターの如くフィルター枠が二重枠形状で中心軸Ｃを中心に回転可能な外部側枠１８とレンズ鏡筒２側の内部側枠１９を構成しているものを対象としている。
【００５３】
図６において、フィルター外枠５を構成するものは、外部側枠１８とレンズ鏡筒２側の内部側枠１９からなり、形状的には二重形状を有している。そして、該外部側枠１８と内部側枠１９からなるフィルター外枠５には、その外観延長上に挿着部６が設けられており、該挿着部６はデジタルカメラのカメラ鏡筒２の先端部３に装着自在である。
【００５４】
また、前記挿着部６には、該挿着部６の外周部７を３等分、或いは４等分する位置に内蔵されたスプリングによって押圧され、前記外周部７側に突出しているボールベアリング８ａ、８ｂ、８ｃ、８ｄ（図２では８ａのみ図示）からなる係合部９を設けており、該係合部９は、所謂、ワンタッチで外部側枠１８と内部側枠１９からなるフィルター外枠５をレンズ鏡筒２の先端部３に装着、或いは抜脱可能である。
尚、上記構成によるレンズ鏡筒２にフィルター枠５が装着した状態は、前記図３と同様で、その構成は、図３の説明を参照することとする。
【００５５】
而して、実施例３は、フィルター外枠５が二重枠形状で外部側枠１８とレンズ鏡筒２側の内部側枠１９を構成しており、当該フィルター二重枠においては、外部側枠１８の全面をカラー着色することや、フィルター二重枠の外部側枠１８と内部側枠２０の全面をカラー着色する構成が提供でき、当然のことながら、外部側枠１８と内部側枠１９にカラー着色される色は異なる構成でもよい。
【００５６】
而して、図６に示す実施例３の一例では、フィルター外枠５を構成する外部側枠１８の外観部分全体にカメラ本体１やレンズ鏡筒２の一般的なシルバー色、またはブラック色とは異なる色をそれぞれ着色して、該部分を着色部１１（網目模様で図示した）となし、該着色部１１において、複数の用途別フィルターの種類を製作し、該色分け着色された複数枚のフィルターを撮影現場に携帯できるようにした。
【００５７】
従って、実施例３においては、着色部１１の分類別着色にて、フィルターの種類をそれぞれ色分けしており、必要に応じてフィルターの種別を素早く選択可能としており、撮影現場に携帯した複数枚の色分けされた各種のフィルターの中から目的に適応したフィルターを選択し、該選択したフィルターを、前記挿着部６に設けられた係合部９を用いてワンタッチで、レンズ鏡筒２の前面に簡単、且つ、容易に取り付け可能としている。
【実施例４】
【００５８】
図７は、本考案の実施例４を説明するフィルター外枠の側面図である。
実施例４は、円偏光フィルターや光条効果用フィルターの如くフィルター枠が二重枠形状で外部側枠１８とレンズ鏡筒２側の内部側枠１９を構成しているものを対象としている。
【００５９】
図７において、フィルター外枠５を構成するものは、外部側枠１８とレンズ鏡筒２側の内部側枠１９からなり、形状的には二重形状を有している。そして、該外部側枠１８と内部側枠１９からなるフィルター外枠５には、その外観延長上に挿着部６が設けられており、該挿着部６はデジタルカメラのレンズ鏡筒２の先端部３に装着自在である。
【００６０】
また、前記挿着部６の構造は、一例として、実施例２と同様にリング型スプリング１５を嵌着させ、該リング型スプリング１４が該切欠部１３を介してスプリング嵌合溝１２内で円周方向のバネ作用をすることを利用して、前記挿着部６は、所謂、ワンタッチでフィルター外枠５をレンズ鏡筒２の先端部３に装着でき、必要に応じて任意に抜脱可能としている。
【００６１】
而して、図７に示す実施例３の一例では、フィルター外枠５を構成する外部側枠１８の外観部分にそのバックグランドとなる仕上げ色とは識別可能な色にて、カラーラインを一本または複数本それぞれ書き入れ、該カラーライン１５ａ、１５ｂ、１５ｃ・・・とする。
【００６２】
また、カラーライン１５ａとカラーライン１５ｂの太さを変えて書き入れることでフィルターの種類分けを行い、種類別にカラーライン１５ａ、１５ｂ、１５ｃ・・・の本数や色、並びにカラーラインの太さの違いを表示したフィルター外枠５を複数の用途別フィルターの種類として製作し、該製作されたフィルターを撮影現場に携帯できるようにした。
【００６３】
従って、実施例４においては、カラーライン１５ａ、１５ｂの如く太さや、色、そして本数を変えて、それぞれのフィルターの種別を選択可能となし、撮影現場に携帯した当該各種のフィルターから目的に適応したフィルターを素早く選択可能となし、該選択したフィルターを、前記挿着部６に設けた係合部９を用いてワンタッチで、レンズ鏡筒２の前面に簡単、且つ、容易に取り付け可能にした。
【産業上の利用可能性】
【００６４】
本考案は、撮影現場において、一般の人々でも、目的に適応したフィルターを色やライン、そしてカラーラインの幅違い等にて素早く選択できて、カメラの撮影レンズ前面に簡単にフィルターを装着可能なフィルター枠を提供することが可能となった。
【００６５】
また、本考案は、カメラのレンズ鏡筒先端部に後付けにて装着されるフィルター枠において、そのフィルター枠の外観部分全体（端部小口を含む）や、フィルター枠の外観部分に細いカラーラインや太めのカラーラインを着色する構成となし、該カラーの着色は、おしゃれで明るい色彩からなるカラー着色とする構成ととすることで、カメラ本体やレンズの鏡筒等が、一般的にシルバー色やブラック色の多い中で、本考案を実施したカメラレンズの鏡筒先端部は、見た目楽しさや、他人のカメラとの差別化を図ることができるので、本考案の前記構成は一般の人や女性、主婦層にもフィルターの利用を大幅に拡大することが可能である。
【図面の簡単な説明】
【００６６】
【図１】本考案の実施部位を説明する斜視図である。
【図２】本考案の実施例１を説明するフィルター外枠の側面図である。
【図３】レンズ鏡筒にフィルター外枠が装着した状態を示す要部切欠断面図である。
【図４】本考案の実施例２を説明する側面図である。
【図５】レンズ鏡筒にフィルター外枠が装着した状態を示す要部切欠断面図である。
【図６】本考案の実施例３を説明するフィルター外枠の側面図である。
【図７】本考案の実施例４を説明するフィルター外枠の側面図である。
【符号の説明】
【００６７】
１  カメラ本体
２  レンズ鏡筒
３  レンズ鏡筒の先端部
４  フィルター
５  フィルター外枠
６  挿着部
７  外周部
８ａ、８ｂ、８ｃ、８ｄ  ボールベアリング
９  係合部
１０  雌ネジ部
１１  着色部
１２  スプリング嵌合溝
１３  切欠部
１４  リング型スプリング
１５ａ、１５ｂ、１５ｃ・・・カラーライン
１６  Ｖ溝
１７  凹溝
１８  外部側枠
１９  内部側枠
Ｃ  中心軸
【図２】
0003145465.tif 000003
【図３】
0003145465.tif 000004
【図４】
0003145465.tif 000005
【図５】
0003145465.tif 000006
【図６】
0003145465.tif 000007
【図７】
0003145465.tif 000008
【図１】
0003145465.tif 000009